(57)【要約】【課題】簡単な構造でレンズを動かすことなく後方を視認する角度を自在に調節可能であり、しかも後方観察の際の眼に対する負担も少ないとともに視野が常時制約されることがなく、加えてデザイン的にすっきりした後方視認機能付眼鏡を提供する。【解決手段】左右一対のレンズを支持する枠体と、前記枠体の両方の側端部にそれぞれ枢設されて折り畳み自在のテンプルとを備える眼鏡において、眼の横幅の略２分の１乃至略５分の１の長さを有する円柱状のアームであって、前記レンズの後方で略水平に配置されるとともに一端側が前記側端部に枢設され、前記折り畳み方向に回動自在の回動アームと、前記回動アームと一緒に回動するミラー板であって、前記回動アームに略平行に配置され、前記回動アームを軸として回動自在のミラー板とを備え、前記回動アームによって眼の直前に配置された前記ミラー板を介して後方を視認可能とする。【選択図】図１
2011164119.tif 000002
【特許請求の範囲】
【請求項１】
左右一対のレンズを支持する枠体と、前記枠体の両方の側端部にそれぞれ枢設されて折り畳み自在のテンプルとを備える眼鏡において、
眼の横幅よりやや短い長さを有する円柱状のアームであって、前記レンズの後方で略水平に配置されるとともに一端側が前記側端部に枢設され、前記折り畳み方向に回動自在の回動アームと、
前記回動アームと一緒に回動するミラー板であって、前記回動アームに略平行に配置され、前記回動アームを軸として回動自在のミラー板とを備え、
前記回動アームによって眼の直前に配置された前記ミラー板を介して後方を視認可能とすることを特徴とする後方視認機能付眼鏡。
【請求項２】
前記回動アームに嵌挿されて回動自在に軸支される円筒体を備え、前記ミラー板はその裏面が前記円筒体の外周面に固設されることを特徴とする請求項１に記載の後方視認機能付眼鏡。
【請求項３】
前記円筒体は、前記回動アームに着脱自在に嵌挿されることを特徴とする請求項２に記載の後方視認機能付眼鏡。
【請求項４】
前記回動アームは、前記側端部に着脱自在に枢設されることを特徴とする請求項１〜３のいずれかに記載の後方視認機能付眼鏡。
【請求項５】
前記回動アームは、前記テンプルのやや下方を回動することを特徴とする請求項１〜４のいずれかに記載の後方視認機能付眼鏡。
【請求項６】
前記ミラー板は、使用者の略目尻の高さに配置されることを特徴とする請求項１〜５のいずれかに記載の後方視認機能付眼鏡。
【請求項７】
前記ミラー板は、両面とも光反射面からなることを特徴とする請求項１〜６のいずれかに記載の後方視認機能付眼鏡。
【発明の詳細な説明】
【技術分野】
【０００１】
本発明は、左右一対のレンズを支持する枠体と、枠体の両端部それぞれに連結されるテンプルとを備える眼鏡に関し、特に掛けた状態で後方を視認可能な眼鏡に関する。
【背景技術】
【０００２】
一般に、葬儀等のような畏まった席で後ろの座席の参列者を振り返って観察することには心理的な抵抗感が働く。また、学会等で後ろの席の参加者が質問等をしている際に、その質問者を振り返って観察する際も同様である。このような場合には、振り返ることなく後方を観察したいというニーズがある。
さらに、例えば背後に不審者の気配を感じた場合等には、できるだけ悟られないように後方を観察したいというニーズがある。
【０００３】
このように、振り返ることなく或いはできるだけ悟られないように後方を観察したいというニーズに対して、掛けた状態で後方を視認可能な眼鏡に関する様々な提案がある（例えば特許文献１）。
【先行技術文献】
【特許文献】
【０００４】
【特許文献１】特開２００９−２２５９２５号公報
【発明の概要】
【発明が解決しようとする課題】
【０００５】
特許文献１によれば、凹面鏡付き眼鏡Ａ、バックミラー付き眼鏡Ｃ或いはバックミラー付き眼鏡Ｄ等が開示されている。
凹面鏡付き眼鏡Ａは、近視用眼鏡におけるレンズの前面の外側部分に鏡面化塗装を施し、その塗装された部分をバックミラーとしたものである（特許文献１の図２参照）。また、バックミラー付き眼鏡Ｃは、耳に掛けるフレームに固定された案内筒に挿通され前後自在に移動するスライド軸を備え、そのスライド軸にバックミラーを結合してレンズの位置よりも前方に突出させたものである（特許文献１の図４参照）。また、バックミラー付き眼鏡Ｄは、レンズの外側にバックミラーを開閉自在に連結し、バックミラーを開いた状態で後方を観察するものである（特許文献１の図６参照）。
【０００６】
しかしながら、凹面鏡付き眼鏡Ａによると、レンズの一部に鏡面化塗装が施されているのでレンズの透明領域が狭くなっているため、例えば使用者の視野が常時制約される虞があるという問題や、バックミラーの反射面が凹面になるので後方の風景が歪んで見えるという問題があった。
また、凹面鏡付き眼鏡Ａによると、レンズの一部がバックミラーとなっているので、レンズを動かさずにバックミラーの角度を自在に調節できない。そのため、凹面鏡付き眼鏡Ａによれば、レンズを動かすことなく後方を視認する角度を自在に調節できないという問題があった。
【０００７】
また、バックミラー付き眼鏡Ｃによると、フレームに案内筒が固定され、さらに、案内筒にスライド軸が挿通されて前後自在に移動するため、構造が複雑になり製造コスト高を招く虞や、見た目に眼鏡が重いという印象を与え易くまたデザイン的にすっきりしづらいという問題があった。
【０００８】
また、バックミラー付き眼鏡Ｄによると、レンズの外側にバックミラーを開いた状態で後方を観察するために、眼球を横方向に大きく動かす必要があるため、目に対する負担も大きく現実的ではないという問題があった。
【０００９】
そこで、本発明は、上記従来の問題に鑑みてなされたものであり、その目的は、簡単な構造でレンズを動かすことなく後方を視認する角度を自在に調節可能であり、しかも後方観察の際の眼に対する負担も少ないとともに視野が常時制約されることがなく、加えてデザイン的にすっきりした後方視認機能付眼鏡を提供することにある。
【課題を解決するための手段】
【００１０】
請求項１の発明は、左右一対のレンズを支持する枠体と、前記枠体の両方の側端部にそれぞれ枢設されて折り畳み自在のテンプルとを備える眼鏡において、眼の横幅よりやや短い長さを有する円柱状のアームであって、前記レンズの後方で略水平に配置されるとともに一端側が前記側端部に枢設され、前記折り畳み方向に回動自在の回動アームと、前記回動アームと一緒に回動するミラー板であって、前記回動アームに略平行に配置され、前記回動アームを軸として回動自在のミラー板とを備え、前記回動アームによって眼の直前に配置された前記ミラー板を介して後方を視認可能とする、後方視認機能付眼鏡である。
【００１１】
請求項２の発明は、請求項１に記載の後方視認機能付眼鏡において、前記回動アームに嵌挿されて回動自在に軸支される円筒体を備え、前記ミラー板はその裏面が前記円筒体の外周面に固設されることを特徴とする。
【００１２】
請求項３の発明は、請求項２に記載の後方視認機能付眼鏡において、前記円筒体は、前記回動アームに着脱自在に嵌挿されることを特徴とする。
【００１３】
請求項４の発明は、請求項１〜３のいずれかに記載の後方視認機能付眼鏡において、前記回動アームは、前記側端部に着脱自在に枢設されることを特徴とする。
【００１４】
請求項５の発明は、請求項１〜４のいずれかに記載の後方視認機能付眼鏡において、前記回動アームは、前記テンプルのやや下方を回動することを特徴とする。
【００１５】
請求項６の発明は、請求項１〜５のいずれかに記載の後方視認機能付眼鏡において、前記ミラー板は、使用者の略目尻の高さに配置されることを特徴とする。
【００１６】
請求項７の発明は、請求項１〜６のいずれかに記載の後方視認機能付眼鏡において、前記ミラー板は、両面とも光反射面からなることを特徴とする。
【発明の効果】
【００１７】
本発明によれば、左右一対のレンズを支持する枠体と、前記枠体の両方の側端部にそれぞれ枢設されて折り畳み自在のテンプルとを備える眼鏡において、眼の横幅よりやや短い長さを有する円柱状のアームであって、前記レンズの後方で略水平に配置されるとともに一端側が前記側端部に枢設され、前記折り畳み方向に回動自在の回動アームと、前記回動アームと一緒に回動するミラー板であって、前記回動アームに略平行に配置され、前記回動アームを軸として回動自在のミラー板とを備え、前記回動アームによって眼の直前に配置された前記ミラー板を介して後方を視認可能とする構成であるから、後方を視認する必要が生じた際等の必要に応じて、回動アームを回動させてミラー板を眼の直前に配置すればよいので、眼の前の視野が常時制約されることがない。しかも、回動アームを回動させつつ回動アームを軸としてミラー板を回動させることでミラー板の角度を自在に調節できるので、簡単な構造でレンズを動かすことなく後方を視認する角度を自在に調節可能となる。さらに、ミラー板を眼の直前に配置した状態で後方を視認するので、後方視認の際の眼球の動きが少なくて済み、後方視認の際の眼に対する負担も少ない。加えて、用いられる部材や眼鏡の構造もシンプルでデザイン的にすっきりした後方視認機能付眼鏡を提供できる。
【００１８】
また、前記回動アームに嵌挿されて回動自在に軸支される円筒体を備え、前記ミラー板はその裏面が前記円筒体の外周面に固設される構成であるから、簡単な部材で眼鏡を構成でき、容易に製造できるとともに製造コストが安価な後方視認機能付眼鏡を提供できる。
【００１９】
前記円筒体は、前記回動アームに着脱自在に嵌合する構成であるから、後方を視認する必要がない場合には円筒体及びミラー板を回動アームから外すことで、さらにすっきりとしたデザインとすることができる。
【００２０】
また、前記回動アームは、前記側端部に着脱自在に枢設される構成であるから、後方を視認する必要がない場合には回動アームを外すことで、回動アームの先端で眼を傷つける虞がない等安全性が高い後方視認機能付眼鏡を提供できる。また、回動アームを外すと通常の眼鏡と略同じ形態となり、デザイン的にさらにすっきりさせることができる。
【００２１】
また、前記回動アームは、前記テンプルのやや下方を回動する構成であるから、回動アームやミラー体はテンプルの折り曲げの際の妨げとならず、実用性が向上する。
【００２２】
また、前記ミラー板は、使用者の目尻の略高さに配置される構成であるから、後方を視認する際に眼球を横方向に僅かに移動させれば済むので、すばやく後方を視認することができるとともに、後方視認の際の眼への負担がさらに軽減できる。
【００２３】
また、前記ミラー板は、両面とも光反射面からなる構成であるから、ミラー板の裏面が光を反射しない材質からなる場合に比べて、例えば他の人が眼鏡を掛けた状態の使用者を見た場合にミラー板に対する違和感が軽減され、見た目の印象がよくなる。
【図面の簡単な説明】
【００２４】
【図１】本発明の第１実施形態に係る後方視認機能付眼鏡の平面図である。
【図２】図１のＡ−Ａ線断面図である。
【図３】図２のＢ−Ｂ線断面図である。
【図４】図１のＣ−Ｃ線断面図である。
【図５】本発明の第１実施形態に係る後方視認機能付眼鏡の使用状態を説明する平面図である。
【図６】本発明の第１実施形態の変形例を説明する図である。
【図７】本発明の第２実施形態に係る後方視認機能付眼鏡の断面説明図である。
【発明を実施するための形態】
【００２５】
以下、本発明の実施形態に係る後方視認機能付眼鏡について説明する。
本実施形態の後方視認機能付眼鏡は、左右一対のレンズを支持する枠体と、前記枠体の両方の側端部にそれぞれ枢設されて折り畳み自在のテンプルとを備える眼鏡において、眼の横幅の略２分の１乃至略５分の１の長さを有する円柱状のアームであって、前記レンズの後方で略水平に配置されるとともに一端側が前記側端部に枢設され、前記折り畳み方向に回動自在の回動アームと、前記回動アームと一緒に回動するミラー板であって、前記回動アームに略平行に配置され、前記回動アームを軸として回動自在のミラー板とを備え、前記回動アームによって眼の直前に配置された前記ミラー板を介して後方を視認可能とするものである。
【００２６】
まず、本発明の第１実施形態の後方視認機能付眼鏡１０について、図を用いて説明する。
本実施形態の後方視認機能付眼鏡１０は、図１及び図２に示すように、左右一対のレンズ１２，１２と、枠体１４と、テンプル２０と、第２の蝶番３０と、回動アーム４０と、円筒体５０と、ミラー板６０とを備える。
本実施形態のレンズ１２は、図２に示すように、例えば略楕円形状の透明プラスティックレンズからなり、使用者はレンズ１２を通して前方を視認できる。そして、レンズ１２は、後述する枠体１４に支持される。
レンズの外形は前記楕円形状に限るものではなく、例えば円形や、角を丸くした台形状等の外形であってもよい。また、近視用等の度付きレンズであってもよいし、度が入っていないレンズであってもよいし或いはサングラス用レンズであってもよい。
【００２７】
次に、枠体１４は、図２に示すように、左右のリム１６，１７と、両リム１６，１７の内縁部間を一体に連結する棒状のブリッジ１５と、ノーズパッド１３とを備える。
本実施形態のリム１６，１７は、図２に示すように、レンズ１２の全周を覆ったフルリムタイプのリム部材よりなる。そして図１及び図２に示すように、リム１６の左側端部を枠体の左側端部１９とし、リム１７の右側端部を枠体１４の右側端部１８としている。
枠体はフルリムタイプに限るものではなく、側端部を有するものであればレンズ１２の略上半分又は略下半分を覆ったナイロールタイプのリムであってもよい。また、枠体１４は、プラスティクからなるプラスティック枠であってもよいし、金属からなるメタル枠であってもよい。
【００２８】
次に、テンプル２０は、眼鏡に用いられる公知のつる部材よりなり、図１に示すように、棒状の柄部２１と、柄部２１の一端から延設されて掛ける人の耳に係止する耳掛部２２とを含む。そして、テンプル２０は、図１及び図２に示すように、例えば柄部２１が略水平となるように配置され、枠体１４の両方の側端部１８，１９に柄部２１の他端部２３がそれぞれ連結される。具体的には、テンプル２０は、図１及び図２に示すように、柄部２１の他端部２３が、枠体１４の側端部１８，１９にそれぞれ設けられた第１の蝶番２５，２５に連結し、第１の蝶番２５を介して自在に回動する。そして、本実施形態のテンプル２０は、枠体１４に重ね合わせ状に折りたたんだ状態（図示せず）と、後方視認機能付眼鏡１０を耳に掛けるために枠体１４から起立した状態（図１参照）との間を自在に回動する構成となっている。図１において符号Ｆは、テンプル２０の折り畳み方向を示す。
【００２９】
このように、テンプル２０は、枠体１４の両方の側端部１８，１９にそれぞれ枢設されて枠体１４上に折り畳み自在の構成となっているのである。
テンプル２０は、柄部２１及び耳掛部２２が双方ともプラスティック等の合成樹脂で形成されていてもよい。また、テンプル２０は、全体がチタン系合金等の金属で形成され、耳掛部２２がプラスティック等の合成樹脂で覆われていてもよい。
なお、枠体１４は左右対称に形成されるので、以下の説明では右側端部１８を例にとって側端部１８として説明する。
【００３０】
次に、第２の蝶番３０は、例えば眼鏡のつる部材等を回動自在にリム部材に連結させる公知の蝶番部材からなり、図３及び図４に示すように、縦方向の軸ピン４４を備える。第２の蝶番３０は、図２及び図３に示すように、第１の蝶番２５のやや下方に配置される。より詳しくは、第２の蝶番３０は、図３（ａ）に示すように、側端部１８から後方に僅かに突出する略Ｌ字状のアングル部材４５の先端部分に設けられる。そして、後述する回動アーム４０を回動自在に側端部１８に連結する。
【００３１】
次に、回動アーム４０について図１〜図４を用いて説明する。図３（ａ）は、回動アーム４０の回動を説明する一部拡大断面図である。図３（ｂ）は、円筒体５０（後述）の回動を説明する一部拡大断面図である。
回動アーム４０は、図３及び図４に示すように、例えば長さが眼の横幅の略３分の１の長さで直径が略２ｍｍ〜３ｍｍの円柱部分４２と、円柱部分４２の一端側から長手方向にやや延設される板状部分４９とからなる。そして、回動アーム４０は、図１に示すように、レンズ１２の後方で略水平に配置され、前記一端側が枠体１４の側端部１８に連結する。より詳しくは、回動アーム４０は、図３及び図４に示すように、上述した軸ピン４４が板状部分４９を貫通する態様で側端部１８に取り付けられる。そして、回動アーム４０は、軸ピン４４を支軸としてテンプル２０の折り畳み方向Ｆに自在に回動する。このように、回動アーム４０は、レンズ１２の後方で略水平に配置され、一端側が枠体１４の側端部１８に枢設される構成となっているのである。
【００３２】
より詳しくは、回動アーム４０は、図３（ａ）に示すように、枠体１４から起立した状態である起立状態Ｅになると、その軸ピン４４から先の部分４６が、アングル部材４５のＬ字の縦辺部分に当接して起立状態Ｅから外方への回動が規制される。さらに、回動アーム４０は、図３（ａ）に示すように、レンズ１２に近接位置まで回動した状態である伏臥状態Ｓになると、軸ピン４４の手前部分４７が、アングル部材４５のＬ字の横辺部分に当接して伏臥状態Ｓからレンズ１２に向かっての回動が規制される。
このように、回動アーム４０は、図３（ａ）に示すように、枠体１４に対して起立した起立状態Ｅと、レンズ１２に近接した伏臥状態Ｓとの間を回動自在な構成となっている。従って、回動アーム４０が回動してもレンズ１２に当接してレンズ１２に傷等を発生させることはないし、必要に応じて回動アーム４０を枠体１４に対して起立した状態とすることができる。
【００３３】
本実施形態の回動アーム４０は、図２に示すように、第２の蝶番３０から略水平に延びるように設けられているため、テンプル２０の下方を回動する構成となっている。
また、回動アーム４０の長さは眼の横幅の略３分の２〜５分の１或いはレンズ１２の横幅の略２分の１〜５分の１程度が好ましい。後述するミラー板６０を、眼の中心の前方乃至目尻付近の前方に配置するのに好適だからである。
なお、本実施形態の回動アーム４０は、例えばチタン系合金等からなる円柱状の棒体の一端側を圧延して平板状（４９）としているが、回動アームは全体が円柱状で形成され一端側が上述した軸ピン４４に貫通されて側端部１８に枢設されていてもよい。
【００３４】
次に、円筒体５０について主に図３及び図４を用いて説明する。
円筒体５０は、図３及び図４に示すように、例えば回動アーム４０の半分程度の長さで回動アーム４０の直径と略同じ内径を有するパイプ部材からなる。そして、円筒体５０は、図３及び図４に示すように、回動アーム４０に中空部を嵌挿され、回動アーム４０の長さ方向の中心線を軸Ｍとして回動自在に軸支される。このように構成される円筒体５０は、後述するミラー板６０を支持する。円筒体５０は、金属製或いは合成樹脂製のいずれであってもよい。
【００３５】
次に、ミラー板６０について、主に図２、図３及び図４を用いて説明する。
本実施形態のミラー板６０は、図２及び図３に示すように、例えば回動アーム４０の長さの略３分の２〜４分の３の横幅と、その横幅の略半分の縦幅とを有する楕円状のステンレス板で、しかも両面（裏面６１及び表面６２）とも光反射面（鏡面）で形成される。そして、ミラー板６０は、図３（ａ）及び図３（ｂ）に示すように、回動アーム４０の長手方向に略平行に配置される。具体的には、円筒体５０がミラー板６０の裏面６１の中央部を横断するように配置されるとともに、円筒体５０の外周面５１に接するように配置され、例えば溶接或いは接着剤等によって円筒体５０の外周面５１に固設される。このように、ミラー板６０は、図３（ａ）、図３（ｂ）及び図４に示すように、回動アーム４０と一緒に回動するミラー板６０であって、回動アーム４０に略平行に配置され、回動アーム４０を軸として回動自在の構成となっているのである。
【００３６】
ミラー板６０のサイズは、回動アーム４０の長さよりやや短い横幅と、前記横幅と略同じ乃至前記横幅の略半分の縦幅の板体で形成されると好ましい。このようなサイズで形成されることで、眼の前に配置されても前方の視界を大きくさえぎることがなく後方を視認できるとともに、ミラー板６０がテンプル２０に当たり難くテンプル２０或いは回動アーム４０を円滑に回動できる。なお、本実施形態のミラー板６０は、その略中心が使用者の略目尻の高さとなるように設けられる。
【００３７】
また、ミラー板は本実施形態のステンレス板に限るものではなく、例えばガラス板からなっていてもよいし、表面のみが光反射面（鏡面）であってもよい。
【００３８】
なお、ミラー板６０を支持するのは本実施形態の円筒体５０に限るものではなく、例えば回動アーム４０の直径と略同じ内径のリング部材を複数並列させ、これらのリング部材の外周にミラー板６０の裏面６１を固定して支持してもよい。
また、図１及び図２において、右側のミラー板６０は、板面がレンズ１２に略平行な状態となるように配置された様子を示し、一方左側のミラー板６０は、その板面がレンズ１２に略直交する状態となるように配置された様子を示す。
【００３９】
ここで本実施形態の後方視認機能付眼鏡１０の使用例について説明する。
図３（ａ）に示すように、使用者は、まず回動アーム４０を起立状態Ｅとし、円筒体５０を回動させてミラー板６０の表面６２を外方に向ける。次に、図３（ａ）に示すように、回動アーム４０を折り畳み方向Ｆに回動させ、上述した伏臥状態Ｓとする。そして、図５に示すように、この状態でテンプル２０を耳に掛けると、ミラー板６０は使用者の眼の直前、より詳しくは目尻の直前近傍に配置され、ミラー板６０の表面６２が後方の様子を写す。そうすると、図５に示すように、使用者は眼球を横方向に僅かに移動させることでミラー板６０の表面６２を介して後方を視認可能となる。
【００４０】
このように、後方を視認する際の眼球の移動が少なくて済むので、使用者はすばやく後方を視認することができるとともに、後方視認の際の眼への負担が軽減できる。
また、図４に示すように、ミラー板６０を持って回動アーム４０の周りに回動させることで、ミラー板６０の上下方向の角度を自在に調節できる。また、図５に示すように、回動アーム４０を折り畳み方向Ｆに回動させることでミラー板６０の左右方向の角度を自在に調節できる。このように、レンズ１２を動かすことなく後方を視認する角度を自在に調節できるので、前方を視認することにも殆ど影響を与えることなく後方の様子を幅広く視認できる。
また、後方を視認する必要がない場合は、図３（ａ）に示すように、回動アーム４０を起立状態Ｅとし、ミラー板６０を顔の側面に配置することができるので、眼の前の視野が常時制約されることがない。
【００４１】
次に、本実施形態の変形例について図６を用いて説明する。
本変形例において、円筒体５０は、図６に示すように、回動アーム４０に着脱自在に取り付けられる。このような構成とすることで、円筒体５０及び円筒体５０で支持されるミラー板６０を、必要に応じて着脱できる。
【００４２】
次に、本発明の第２実施形態に係る後方視認機能付眼鏡７０について図７を用いて説明する。第１実施形態との相違点は、回動アーム８０が、枠体１４の側端部１８に着脱自在に枢設される点である。図７（ａ）は、回動アーム８０を装着した状態の断面説明図であり、図７（ｂ）は、回動アーム８０を側端部１８から取り外した状態の断面説明図である。以下、第１実施形態と同じ部材には同じ符号を付し、その説明を省略する。
【００４３】
本実施形態の後方視認機能付眼鏡７０は、図７に示すように、回動アーム８０と、回動アーム８０を折り畳み方向Ｆに回動させる枢設部７５とを含む。
本実施形態の回動アーム８０は、例えば長さが眼の幅の略４分の１の長さで直径が略１ｍｍの円柱体で形成される。
【００４４】
次に、枢設部７５は、上述と同様にして側端部１８に設けられた第２の蝶番３０と、短筒体８５とを含む。
短筒体８５は、図７に示すように、回動アーム８０の直径と略同じ内径の中空部８６を有し、例えば回動アーム８０の略５分の１程度の長さの円筒体で形成される。この短筒体８５は、図７に示すように、筒方向を略水平に向けた状態で、一端側を第２の蝶番３０に枢支され、折り畳み方向Ｆに回動自在に側端部１８に連結される。そして、回動アーム８０は、一端側を中空部８６に着脱自在に嵌合させる。
したがって、図７（ａ）に示すように、回動アーム８０の一端側を中空部８６に嵌合させることで、回動アーム８０は、折り畳み方向Ｆに回動自在に側端部１８に連結する。このように、回動アーム８０は、側端部１８に着脱自在に枢設される構成となっているのである。
【００４５】
このような構成とすることで、後方を視認する必要がない場合には回動アーム８０を取外すことで、回動アーム８０の先端で眼を傷つける虞がない等安全性が高い後方視認機能付眼鏡７０を提供できる。また、回動アーム８０を外すと通常の眼鏡と略同じ形態となり、デザイン的にさらにすっきりさせることができる。
【００４６】
これまで説明したように本発明によれば、簡単な構造でレンズを動かすことなく後方を視認する角度を自在に調節可能であり、しかも後方観察の際の眼に対する負担も少ないとともに視野が常時制約されることがなく、加えてデザイン的にすっきりした後方視認機能付眼鏡を提供できる。
【００４７】
以上、本発明の実施形態のうちいくつかを図面に基づいて詳細に説明したが、これらはあくまでも例示であり、当業者の知識に基づいて種々の変形、改良を施した他の形態で本発明を実施することが可能である。
【符号の説明】
【００４８】
１０  後方視認機能付眼鏡
１２  レンズ
１４  枠体
１８  側端部
２０  テンプル
４０  回動アーム
５０  円筒体
６０  ミラー板
６１  裏面
Ｆ    折り畳み方向
【図１】
2011164119.tif 000003
【図２】
2011164119.tif 000004
【図３】
2011164119.tif 000005
【図４】
2011164119.tif 000006
【図５】
2011164119.tif 000007
【図６】
2011164119.tif 000008
【図７】
2011164119.tif 000009
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
左右一対のレンズを支持する枠体と、前記枠体の両方の側端部にそれぞれ枢設されて折り畳み自在のテンプルとを備える眼鏡において、
眼の横幅よりやや短い長さを有する円柱状のアームであって、前記レンズの後方で略水平に配置されるとともに一端側が前記側端部に枢設され、前記折り畳み方向に回動自在の回動アームと、
前記回動アームと一緒に回動し、しかも両面とも光反射面からなるミラー板であって、前記回動アームに略平行に配置され、前記回動アームを軸として回動自在のミラー板とを備え、
前記回動アームによって眼の直前に配置された前記ミラー板を介して後方を視認可能とすることを特徴とする後方視認機能付眼鏡。
【請求項２】
前記回動アームに嵌挿されて回動自在に軸支される円筒体を備え、前記ミラー板はその裏面が前記円筒体の外周面に固設されることを特徴とする請求項１に記載の後方視認機能付眼鏡。
【請求項３】
前記円筒体は、前記回動アームに着脱自在に嵌挿されることを特徴とする請求項２に記載の後方視認機能付眼鏡。
【請求項４】
前記回動アームは、前記側端部に着脱自在に枢設されることを特徴とする請求項１〜３のいずれかに記載の後方視認機能付眼鏡。
【請求項５】
前記回動アームは、前記テンプルのやや下方を回動することを特徴とする請求項１〜４のいずれかに記載の後方視認機能付眼鏡。
【請求項６】
前記ミラー板は、使用者の略目尻の高さに配置されることを特徴とする請求項１〜５のいずれかに記載の後方視認機能付眼鏡。
【手続補正２】
【補正対象書類名】明細書
【補正対象項目名】全文
【補正方法】変更
【補正の内容】
【発明の詳細な説明】
【技術分野】
【０００１】
本発明は、左右一対のレンズを支持する枠体と、枠体の両端部それぞれに連結されるテンプルとを備える眼鏡に関し、特に掛けた状態で後方を視認可能な眼鏡に関する。
【背景技術】
【０００２】
一般に、葬儀等のような畏まった席で後ろの座席の参列者を振り返って観察することには心理的な抵抗感が働く。また、学会等で後ろの席の参加者が質問等をしている際に、その質問者を振り返って観察する際も同様である。このような場合には、振り返ることなく後方を観察したいというニーズがある。
さらに、例えば背後に不審者の気配を感じた場合等には、できるだけ悟られないように後方を観察したいというニーズがある。
【０００３】
このように、振り返ることなく或いはできるだけ悟られないように後方を観察したいというニーズに対して、掛けた状態で後方を視認可能な眼鏡に関する様々な提案がある（例えば特許文献１）。
【先行技術文献】
【特許文献】
【０００４】
【特許文献１】特開２００９−２２５９２５号公報
【発明の概要】
【発明が解決しようとする課題】
【０００５】
特許文献１によれば、凹面鏡付き眼鏡Ａ、バックミラー付き眼鏡Ｃ或いはバックミラー付き眼鏡Ｄ等が開示されている。
凹面鏡付き眼鏡Ａは、近視用眼鏡におけるレンズの前面の外側部分に鏡面化塗装を施し、その塗装された部分をバックミラーとしたものである（特許文献１の図２参照）。また、バックミラー付き眼鏡Ｃは、耳に掛けるフレームに固定された案内筒に挿通され前後自在に移動するスライド軸を備え、そのスライド軸にバックミラーを結合してレンズの位置よりも前方に突出させたものである（特許文献１の図４参照）。また、バックミラー付き眼鏡Ｄは、レンズの外側にバックミラーを開閉自在に連結し、バックミラーを開いた状態で後方を観察するものである（特許文献１の図６参照）。
【０００６】
しかしながら、凹面鏡付き眼鏡Ａによると、レンズの一部に鏡面化塗装が施されているのでレンズの透明領域が狭くなっているため、例えば使用者の視野が常時制約される虞があるという問題や、バックミラーの反射面が凹面になるので後方の風景が歪んで見えるという問題があった。
また、凹面鏡付き眼鏡Ａによると、レンズの一部がバックミラーとなっているので、レンズを動かさずにバックミラーの角度を自在に調節できない。そのため、凹面鏡付き眼鏡Ａによれば、レンズを動かすことなく後方を視認する角度を自在に調節できないという問題があった。
【０００７】
また、バックミラー付き眼鏡Ｃによると、フレームに案内筒が固定され、さらに、案内筒にスライド軸が挿通されて前後自在に移動するため、構造が複雑になり製造コスト高を招く虞や、見た目に眼鏡が重いという印象を与え易くまたデザイン的にすっきりしづらいという問題があった。
【０００８】
また、バックミラー付き眼鏡Ｄによると、レンズの外側にバックミラーを開いた状態で後方を観察するために、眼球を横方向に大きく動かす必要があるため、目に対する負担も大きく現実的ではないという問題があった。
【０００９】
そこで、本発明は、上記従来の問題に鑑みてなされたものであり、その目的は、簡単な構造でレンズを動かすことなく後方を視認する角度を自在に調節可能であり、しかも後方観察の際の眼に対する負担も少ないとともに視野が常時制約されることがなく、加えてデザイン的にすっきりした後方視認機能付眼鏡を提供することにある。
【課題を解決するための手段】
【００１０】
請求項１の発明は、左右一対のレンズを支持する枠体と、前記枠体の両方の側端部にそれぞれ枢設されて折り畳み自在のテンプルとを備える眼鏡において、眼の横幅よりやや短い長さを有する円柱状のアームであって、前記レンズの後方で略水平に配置されるとともに一端側が前記側端部に枢設され、前記折り畳み方向に回動自在の回動アームと、前記回動アームと一緒に回動し、しかも両面とも光反射面からなるミラー板であって、前記回動アームに略平行に配置され、前記回動アームを軸として回動自在のミラー板とを備え、前記回動アームによって眼の直前に配置された前記ミラー板を介して後方を視認可能とすることを特徴とする、後方視認機能付眼鏡である。
【００１１】
請求項２の発明は、請求項１に記載の後方視認機能付眼鏡において、前記回動アームに嵌挿されて回動自在に軸支される円筒体を備え、前記ミラー板はその裏面が前記円筒体の外周面に固設されることを特徴とする。
【００１２】
請求項３の発明は、請求項２に記載の後方視認機能付眼鏡において、前記円筒体は、前記回動アームに着脱自在に嵌挿されることを特徴とする。
【００１３】
請求項４の発明は、請求項１〜３のいずれかに記載の後方視認機能付眼鏡において、前記回動アームは、前記側端部に着脱自在に枢設されることを特徴とする。
【００１４】
請求項５の発明は、請求項１〜４のいずれかに記載の後方視認機能付眼鏡において、前記回動アームは、前記テンプルのやや下方を回動することを特徴とする。
【００１５】
請求項６の発明は、請求項１〜５のいずれかに記載の後方視認機能付眼鏡において、前記ミラー板は、使用者の略目尻の高さに配置されることを特徴とする。
【発明の効果】
【００１６】
本発明によれば、左右一対のレンズを支持する枠体と、前記枠体の両方の側端部にそれぞれ枢設されて折り畳み自在のテンプルとを備える眼鏡において、眼の横幅よりやや短い長さを有する円柱状のアームであって、前記レンズの後方で略水平に配置されるとともに一端側が前記側端部に枢設され、前記折り畳み方向に回動自在の回動アームと、前記回動アームと一緒に回動するミラー板であって、前記回動アームに略平行に配置され、前記回動アームを軸として回動自在のミラー板とを備え、前記回動アームによって眼の直前に配置された前記ミラー板を介して後方を視認可能とする構成であるから、後方を視認する必要が生じた際等の必要に応じて、回動アームを回動させてミラー板を眼の直前に配置すればよいので、眼の前の視野が常時制約されることがない。しかも、回動アームを回動させつつ回動アームを軸としてミラー板を回動させることでミラー板の角度を自在に調節できるので、簡単な構造でレンズを動かすことなく後方を視認する角度を自在に調節可能となる。さらに、ミラー板を眼の直前に配置した状態で後方を視認するので、後方視認の際の眼球の動きが少なくて済み、後方視認の際の眼に対する負担も少ない。加えて、用いられる部材や眼鏡の構造もシンプルでデザイン的にすっきりした後方視認機能付眼鏡を提供できる。
【００１７】
また、前記回動アームに嵌挿されて回動自在に軸支される円筒体を備え、前記ミラー板はその裏面が前記円筒体の外周面に固設される構成であるから、簡単な部材で眼鏡を構成でき、容易に製造できるとともに製造コストが安価な後方視認機能付眼鏡を提供できる。
【００１８】
前記円筒体は、前記回動アームに着脱自在に嵌合する構成であるから、後方を視認する必要がない場合には円筒体及びミラー板を回動アームから外すことで、さらにすっきりとしたデザインとすることができる。
【００１９】
また、前記回動アームは、前記側端部に着脱自在に枢設される構成であるから、後方を視認する必要がない場合には回動アームを外すことで、回動アームの先端で眼を傷つける虞がない等安全性が高い後方視認機能付眼鏡を提供できる。また、回動アームを外すと通常の眼鏡と略同じ形態となり、デザイン的にさらにすっきりさせることができる。
【００２０】
また、前記回動アームは、前記テンプルのやや下方を回動する構成であるから、回動アームやミラー体はテンプルの折り曲げの際の妨げとならず、実用性が向上する。
【００２１】
また、前記ミラー板は、使用者の目尻の略高さに配置される構成であるから、後方を視認する際に眼球を横方向に僅かに移動させれば済むので、すばやく後方を視認することができるとともに、後方視認の際の眼への負担がさらに軽減できる。
【００２２】
また、前記ミラー板は、両面とも光反射面からなる構成であるから、ミラー板の裏面が光を反射しない材質からなる場合に比べて、例えば他の人が眼鏡を掛けた状態の使用者を見た場合にミラー板に対する違和感が軽減され、見た目の印象がよくなる。
【図面の簡単な説明】
【００２３】
【図１】本発明の第１実施形態に係る後方視認機能付眼鏡の平面図である。
【図２】図１のＡ−Ａ線断面図である。
【図３】図２のＢ−Ｂ線断面図である。
【図４】図１のＣ−Ｃ線断面図である。
【図５】本発明の第１実施形態に係る後方視認機能付眼鏡の使用状態を説明する平面図である。
【図６】本発明の第１実施形態の変形例を説明する図である。
【図７】本発明の第２実施形態に係る後方視認機能付眼鏡の断面説明図である。
【発明を実施するための形態】
【００２４】
以下、本発明の実施形態に係る後方視認機能付眼鏡について説明する。
本実施形態の後方視認機能付眼鏡は、左右一対のレンズを支持する枠体と、前記枠体の両方の側端部にそれぞれ枢設されて折り畳み自在のテンプルとを備える眼鏡において、眼の横幅の略２分の１乃至略５分の１の長さを有する円柱状のアームであって、前記レンズの後方で略水平に配置されるとともに一端側が前記側端部に枢設され、前記折り畳み方向に回動自在の回動アームと、前記回動アームと一緒に回動するミラー板であって、前記回動アームに略平行に配置され、前記回動アームを軸として回動自在のミラー板とを備え、前記回動アームによって眼の直前に配置された前記ミラー板を介して後方を視認可能とするものである。
【００２５】
まず、本発明の第１実施形態の後方視認機能付眼鏡１０について、図を用いて説明する。
本実施形態の後方視認機能付眼鏡１０は、図１及び図２に示すように、左右一対のレンズ１２，１２と、枠体１４と、テンプル２０と、第２の蝶番３０と、回動アーム４０と、円筒体５０と、ミラー板６０とを備える。
本実施形態のレンズ１２は、図２に示すように、例えば略楕円形状の透明プラスティックレンズからなり、使用者はレンズ１２を通して前方を視認できる。そして、レンズ１２は、後述する枠体１４に支持される。
レンズの外形は前記楕円形状に限るものではなく、例えば円形や、角を丸くした台形状等の外形であってもよい。また、近視用等の度付きレンズであってもよいし、度が入っていないレンズであってもよいし或いはサングラス用レンズであってもよい。
【００２６】
次に、枠体１４は、図２に示すように、左右のリム１６，１７と、両リム１６，１７の内縁部間を一体に連結する棒状のブリッジ１５と、ノーズパッド１３とを備える。
本実施形態のリム１６，１７は、図２に示すように、レンズ１２の全周を覆ったフルリムタイプのリム部材よりなる。そして図１及び図２に示すように、リム１６の左側端部を枠体の左側端部１９とし、リム１７の右側端部を枠体１４の右側端部１８としている。
枠体はフルリムタイプに限るものではなく、側端部を有するものであればレンズ１２の略上半分又は略下半分を覆ったナイロールタイプのリムであってもよい。また、枠体１４は、プラスティクからなるプラスティック枠であってもよいし、金属からなるメタル枠であってもよい。
【００２７】
次に、テンプル２０は、眼鏡に用いられる公知のつる部材よりなり、図１に示すように、棒状の柄部２１と、柄部２１の一端から延設されて掛ける人の耳に係止する耳掛部２２とを含む。そして、テンプル２０は、図１及び図２に示すように、例えば柄部２１が略水平となるように配置され、枠体１４の両方の側端部１８，１９に柄部２１の他端部２３がそれぞれ連結される。具体的には、テンプル２０は、図１及び図２に示すように、柄部２１の他端部２３が、枠体１４の側端部１８，１９にそれぞれ設けられた第１の蝶番２５，２５に連結し、第１の蝶番２５を介して自在に回動する。そして、本実施形態のテンプル２０は、枠体１４に重ね合わせ状に折りたたんだ状態（図示せず）と、後方視認機能付眼鏡１０を耳に掛けるために枠体１４から起立した状態（図１参照）との間を自在に回動する構成となっている。図１において符号Ｆは、テンプル２０の折り畳み方向を示す。
【００２８】
このように、テンプル２０は、枠体１４の両方の側端部１８，１９にそれぞれ枢設されて枠体１４上に折り畳み自在の構成となっているのである。
テンプル２０は、柄部２１及び耳掛部２２が双方ともプラスティック等の合成樹脂で形成されていてもよい。また、テンプル２０は、全体がチタン系合金等の金属で形成され、耳掛部２２がプラスティック等の合成樹脂で覆われていてもよい。
なお、枠体１４は左右対称に形成されるので、以下の説明では右側端部１８を例にとって側端部１８として説明する。
【００２９】
次に、第２の蝶番３０は、例えば眼鏡のつる部材等を回動自在にリム部材に連結させる公知の蝶番部材からなり、図３及び図４に示すように、縦方向の軸ピン４４を備える。第２の蝶番３０は、図２及び図３に示すように、第１の蝶番２５のやや下方に配置される。より詳しくは、第２の蝶番３０は、図３（ａ）に示すように、側端部１８から後方に僅かに突出する略Ｌ字状のアングル部材４５の先端部分に設けられる。そして、後述する回動アーム４０を回動自在に側端部１８に連結する。
【００３０】
次に、回動アーム４０について図１〜図４を用いて説明する。図３（ａ）は、回動アーム４０の回動を説明する一部拡大断面図である。図３（ｂ）は、円筒体５０（後述）の回動を説明する一部拡大断面図である。
回動アーム４０は、図３及び図４に示すように、例えば長さが眼の横幅の略３分の１の長さで直径が略２ｍｍ〜３ｍｍの円柱部分４２と、円柱部分４２の一端側から長手方向にやや延設される板状部分４９とからなる。そして、回動アーム４０は、図１に示すように、レンズ１２の後方で略水平に配置され、前記一端側が枠体１４の側端部１８に連結する。より詳しくは、回動アーム４０は、図３及び図４に示すように、上述した軸ピン４４が板状部分４９を貫通する態様で側端部１８に取り付けられる。そして、回動アーム４０は、軸ピン４４を支軸としてテンプル２０の折り畳み方向Ｆに自在に回動する。このように、回動アーム４０は、レンズ１２の後方で略水平に配置され、一端側が枠体１４の側端部１８に枢設される構成となっているのである。
【００３１】
より詳しくは、回動アーム４０は、図３（ａ）に示すように、枠体１４から起立した状態である起立状態Ｅになると、その軸ピン４４から先の部分４６が、アングル部材４５のＬ字の縦辺部分に当接して起立状態Ｅから外方への回動が規制される。さらに、回動アーム４０は、図３（ａ）に示すように、レンズ１２に近接位置まで回動した状態である伏臥状態Ｓになると、軸ピン４４の手前部分４７が、アングル部材４５のＬ字の横辺部分に当接して伏臥状態Ｓからレンズ１２に向かっての回動が規制される。
このように、回動アーム４０は、図３（ａ）に示すように、枠体１４に対して起立した起立状態Ｅと、レンズ１２に近接した伏臥状態Ｓとの間を回動自在な構成となっている。従って、回動アーム４０が回動してもレンズ１２に当接してレンズ１２に傷等を発生させることはないし、必要に応じて回動アーム４０を枠体１４に対して起立した状態とすることができる。
【００３２】
本実施形態の回動アーム４０は、図２に示すように、第２の蝶番３０から略水平に延びるように設けられているため、テンプル２０の下方を回動する構成となっている。
また、回動アーム４０の長さは眼の横幅の略３分の２〜５分の１或いはレンズ１２の横幅の略２分の１〜５分の１程度が好ましい。後述するミラー板６０を、眼の中心の前方乃至目尻付近の前方に配置するのに好適だからである。
なお、本実施形態の回動アーム４０は、例えばチタン系合金等からなる円柱状の棒体の一端側を圧延して平板状（４９）としているが、回動アームは全体が円柱状で形成され一端側が上述した軸ピン４４に貫通されて側端部１８に枢設されていてもよい。
【００３３】
次に、円筒体５０について主に図３及び図４を用いて説明する。
円筒体５０は、図３及び図４に示すように、例えば回動アーム４０の半分程度の長さで回動アーム４０の直径と略同じ内径を有するパイプ部材からなる。そして、円筒体５０は、図３及び図４に示すように、回動アーム４０に中空部を嵌挿され、回動アーム４０の長さ方向の中心線を軸Ｍとして回動自在に軸支される。このように構成される円筒体５０は、後述するミラー板６０を支持する。円筒体５０は、金属製或いは合成樹脂製のいずれであってもよい。
【００３４】
次に、ミラー板６０について、主に図２、図３及び図４を用いて説明する。
本実施形態のミラー板６０は、図２及び図３に示すように、例えば回動アーム４０の長さの略３分の２〜４分の３の横幅と、その横幅の略半分の縦幅とを有する楕円状のステンレス板で、しかも両面（裏面６１及び表面６２）とも光反射面（鏡面）で形成される。そして、ミラー板６０は、図３（ａ）及び図３（ｂ）に示すように、回動アーム４０の長手方向に略平行に配置される。具体的には、円筒体５０がミラー板６０の裏面６１の中央部を横断するように配置されるとともに、円筒体５０の外周面５１に接するように配置され、例えば溶接或いは接着剤等によって円筒体５０の外周面５１に固設される。このように、ミラー板６０は、図３（ａ）、図３（ｂ）及び図４に示すように、回動アーム４０と一緒に回動するミラー板６０であって、回動アーム４０に略平行に配置され、回動アーム４０を軸として回動自在の構成となっているのである。
【００３５】
ミラー板６０のサイズは、回動アーム４０の長さよりやや短い横幅と、前記横幅と略同じ乃至前記横幅の略半分の縦幅の板体で形成されると好ましい。このようなサイズで形成されることで、眼の前に配置されても前方の視界を大きくさえぎることがなく後方を視認できるとともに、ミラー板６０がテンプル２０に当たり難くテンプル２０或いは回動アーム４０を円滑に回動できる。なお、本実施形態のミラー板６０は、その略中心が使用者の略目尻の高さとなるように設けられる。
【００３６】
また、ミラー板は本実施形態のステンレス板に限るものではなく、例えばガラス板からなっていてもよいし、表面のみが光反射面（鏡面）であってもよい。
【００３７】
なお、ミラー板６０を支持するのは本実施形態の円筒体５０に限るものではなく、例えば回動アーム４０の直径と略同じ内径のリング部材を複数並列させ、これらのリング部材の外周にミラー板６０の裏面６１を固定して支持してもよい。
また、図１及び図２において、右側のミラー板６０は、板面がレンズ１２に略平行な状態となるように配置された様子を示し、一方左側のミラー板６０は、その板面がレンズ１２に略直交する状態となるように配置された様子を示す。
【００３８】
ここで本実施形態の後方視認機能付眼鏡１０の使用例について説明する。
図３（ａ）に示すように、使用者は、まず回動アーム４０を起立状態Ｅとし、円筒体５０を回動させてミラー板６０の表面６２を外方に向ける。次に、図３（ａ）に示すように、回動アーム４０を折り畳み方向Ｆに回動させ、上述した伏臥状態Ｓとする。そして、図５に示すように、この状態でテンプル２０を耳に掛けると、ミラー板６０は使用者の眼の直前、より詳しくは目尻の直前近傍に配置され、ミラー板６０の表面６２が後方の様子を写す。そうすると、図５に示すように、使用者は眼球を横方向に僅かに移動させることでミラー板６０の表面６２を介して後方を視認可能となる。
【００３９】
このように、後方を視認する際の眼球の移動が少なくて済むので、使用者はすばやく後方を視認することができるとともに、後方視認の際の眼への負担が軽減できる。
また、図４に示すように、ミラー板６０を持って回動アーム４０の周りに回動させることで、ミラー板６０の上下方向の角度を自在に調節できる。また、図５に示すように、回動アーム４０を折り畳み方向Ｆに回動させることでミラー板６０の左右方向の角度を自在に調節できる。このように、レンズ１２を動かすことなく後方を視認する角度を自在に調節できるので、前方を視認することにも殆ど影響を与えることなく後方の様子を幅広く視認できる。
また、後方を視認する必要がない場合は、図３（ａ）に示すように、回動アーム４０を起立状態Ｅとし、ミラー板６０を顔の側面に配置することができるので、眼の前の視野が常時制約されることがない。
【００４０】
次に、本実施形態の変形例について図６を用いて説明する。
本変形例において、円筒体５０は、図６に示すように、回動アーム４０に着脱自在に取り付けられる。このような構成とすることで、円筒体５０及び円筒体５０で支持されるミラー板６０を、必要に応じて着脱できる。
【００４１】
次に、本発明の第２実施形態に係る後方視認機能付眼鏡７０について図７を用いて説明する。第１実施形態との相違点は、回動アーム８０が、枠体１４の側端部１８に着脱自在に枢設される点である。図７（ａ）は、回動アーム８０を装着した状態の断面説明図であり、図７（ｂ）は、回動アーム８０を側端部１８から取り外した状態の断面説明図である。以下、第１実施形態と同じ部材には同じ符号を付し、その説明を省略する。
【００４２】
本実施形態の後方視認機能付眼鏡７０は、図７に示すように、回動アーム８０と、回動アーム８０を折り畳み方向Ｆに回動させる枢設部７５とを含む。
本実施形態の回動アーム８０は、例えば長さが眼の幅の略４分の１の長さで直径が略１ｍｍの円柱体で形成される。
【００４３】
次に、枢設部７５は、上述と同様にして側端部１８に設けられた第２の蝶番３０と、短筒体８５とを含む。
短筒体８５は、図７に示すように、回動アーム８０の直径と略同じ内径の中空部８６を有し、例えば回動アーム８０の略５分の１程度の長さの円筒体で形成される。この短筒体８５は、図７に示すように、筒方向を略水平に向けた状態で、一端側を第２の蝶番３０に枢支され、折り畳み方向Ｆに回動自在に側端部１８に連結される。そして、回動アーム８０は、一端側を中空部８６に着脱自在に嵌合させる。
したがって、図７（ａ）に示すように、回動アーム８０の一端側を中空部８６に嵌合させることで、回動アーム８０は、折り畳み方向Ｆに回動自在に側端部１８に連結する。このように、回動アーム８０は、側端部１８に着脱自在に枢設される構成となっているのである。
【００４４】
このような構成とすることで、後方を視認する必要がない場合には回動アーム８０を取外すことで、回動アーム８０の先端で眼を傷つける虞がない等安全性が高い後方視認機能付眼鏡７０を提供できる。また、回動アーム８０を外すと通常の眼鏡と略同じ形態となり、デザイン的にさらにすっきりさせることができる。
【００４５】
これまで説明したように本発明によれば、簡単な構造でレンズを動かすことなく後方を視認する角度を自在に調節可能であり、しかも後方観察の際の眼に対する負担も少ないとともに視野が常時制約されることがなく、加えてデザイン的にすっきりした後方視認機能付眼鏡を提供できる。
【００４６】
以上、本発明の実施形態のうちいくつかを図面に基づいて詳細に説明したが、これらはあくまでも例示であり、当業者の知識に基づいて種々の変形、改良を施した他の形態で本発明を実施することが可能である。
【符号の説明】
【００４７】
１０  後方視認機能付眼鏡
１２  レンズ
１４  枠体
１８  側端部
２０  テンプル
４０  回動アーム
５０  円筒体
６０  ミラー板
６１  裏面
Ｆ    折り畳み方向